(57)【要約】【課題】容易に組み立てることが可能で、特にシフォンケーキなどの軟弱な被収納物を傷つけることなく収納や取り出しを容易に行うことが可能な包装箱を提供する。【解決手段】蓋体と、台部とを備えた包装箱であって、蓋体（１Ａ）は、角筒状の本体と、左右の側板部（２０、４０）の下辺に連設され内方に折り返された所定形状の側板フラップ（２１、４１）とを有し、台部（１Ｂ）は、底板部（５０）と、底板部（５０）の各辺に連設された前後及び左右の側板部（５１、５２）と、前後の側板部（５１）の上辺に連設されたガイド片部（５４）と、左右の側板部（５２）の上辺に連設され外方に折り返された折り返し部（５３）とを有し、台部（１Ｂ）を蓋体（１Ａ）で被覆する手段と、被覆する手段により折り返し部（５３）と側板フラップ（２１、４１）とが係合し台部（１Ｂ）に蓋体（１Ａ）を係止させるようにした係止手段とを備える。【選択図】図１０
2011173634.tif 000002
【特許請求の範囲】
【請求項１】
複数の側板に囲まれかついずれかの側板の上端に連設された一対の上蓋フラップとを有する蓋体と、底板と、底板の各辺に連設された複数の側板とを有する台部とを備えた包装箱であって、
蓋体（１Ａ）は、
矩形状の前後及び左右の側板部（１０、２０、３０、４０）に囲まれ鉛直方向の両端に開口した開口部（１５、１６）を有する角筒状の本体と、
前記前後の側板部（１０、３０）の上辺に連設されかつ前記左右の側板部（２０、４０）の上端縁と略同じ高さの位置にて内方へ折ることで前記角筒状の本体の上端の開口部（１６）を開閉自在に被覆する一対の上蓋フラップ（１２、３２）と、
前記上蓋フラップ（１２、３２）の上端に連設された一対の把手部（１２ｂ、３２ｂ）と、
前記左右の側板部（２０、４０）の下辺に連設されかつ前記前後の側板部（１０、３０）の下端縁と略同じ高さの位置にて内方に折り返された所定形状の側板フラップ（２１、４１）とを有し、
台部（１Ｂ）は、
矩形状の底板部（５０）と、
底板部（５０）の各辺に連設されかつ該底板部（５０）の各辺に対して略直角をなすように起立された矩形状の前後の側板部（５１）及び左右の側板部（５２）と、
前記前後の側板部（５１）の上辺に連設されたガイド片部（５４）と、
前記左右の側板部（５２）の上辺に連設されかつ前記ガイド片部（５４）の上端縁よりも低い位置にて外方に折り返された折り返し部（５３）とを有し、
前記台部（１Ｂ）を上方から前記蓋体（１Ａ）の下端に開口した前記開口部（１６）より前記ガイド片部（５４）の外面側を前記左右の側板部（２０、４０）の内面側に沿わせるようにして挿入し該台部（１Ｂ）を該蓋体（１Ａ）で被覆する手段と、
前記被覆する手段により前記折り返し部（５３）と前記側板フラップ（２１、４１）とが係合し該台部（１Ｂ）に該蓋体（１Ａ）を係止させるようにした係止手段とを備えたことを特徴とする包装箱。
【請求項２】
前記蓋体（１Ａ）は、
左右の側板部（２０、４０）の側面略中央部に該左右の側板部（２０、４０）の下端側に膨らむ円弧状の切り込み線（２５ａ、４５ａ）で囲まれた舌片部（２５、４５）と、
前記舌片部（２５、４５）よりも低い位置に前記円弧状の切り込み線（２５ａ、４５ａ）を起点とし前記左右の側板部（２０、４０）の上端側に膨らむ円弧状の切り込み線（２４ｂ、４４ｂ）と前記円弧状の切り込み線（２４ｃ、４４ｃ）を起点とし左右方向に該左右の側板部（２０、４０）の下辺に角度をなして延びるミシン目状の切り目線（２４ａ、４４ａ）とにより囲まれた切り取り部（２４、４４）とを有し、
前記舌片部（２５、４５）を折り目線（ｓ）を介して外方へ起立させ又は内方へ押し込み前記切り取り部（２４、４４）を引き下げて前記切り目線（２４ａ、４４ａ）を破断し該切り取り部（２４、４４）を前記蓋体（１Ａ）から分離することで、前記係止手段を解除させる係止解除手段を備えることを特徴とする請求項１に記載の包装箱。
【請求項３】
前記上蓋フラップ（１２、３２）は、側面略中央部から折り目線（ｃ）を介して前記前後の側板部（１０、３０）の側面上方にかけて略円形状の内部が目視可能な窓部（１４、３１）を有することを特徴とする請求項１又は２に記載の包装箱。
【請求項４】
前記把手部（１２ｂ、３２ｂ）は、左右の両肩部に連設された突出片部（３３）を前記左右の側板部（２０、４０）の上辺に連設された一対の係止部（２２、４２）に係合させることで係止されるとともに、前記上蓋フラップ（１２、３２）が閉状態で閉止されることを特徴とする請求項１乃至３のいずれか一に記載の包装箱。
【発明の詳細な説明】
【技術分野】
【０００１】
本発明は、軟弱かつ繊細で形が崩れやすい食品や花などの物品の包装に関し、特にシフォンケーキなどの包装に好適な包装箱に関するものである。
【背景技術】
【０００２】
従来より、シフォンケーキなどの軟弱かつ繊細な食品の運搬や保管などにあたってその価値及び状態を保護するための技術として図１３に示すようにセロファンなどを使用した透明な食品用包装袋（１１０）を用い、被収納物（１００）を袋（１１０）の開口部（１１１）より挿入し収納して袋（１１０）の上部を接着剤やヒートシールなどの熱融着によって、又はリボン（１１２）や中芯に針金が入ったモールなどによって閉封する包装が知られている。
【０００３】
また、図１４に示すように矩形状の底板部（１２２）と、底板部（１２２）の各辺に連設され各辺に対して略直角をなすように起立された前後及び左右の側板（１２０、１２１、１２３）と、左右の側板部（１２１）に連設され前後の側板部（１２０、１２３）と略同一の高さの位置にて内方に折られた一対の側板フラップ（１２５）と、後の側板部（１２３）に連設され左右の側板部（１２１）と略同一の高さの位置にて内方に折られた蓋板部（１２４）と、蓋板部（１２４）に連設され所定位置にて内方に折られた蓋板フラップ（１２６）とを有する包装箱に、上方の開口部（１２７）より被収納物（１００）を挿入し収納後、蓋板フラップ（１２６）を前板部（１２０）の内面側に差し込むことで開閉自在に閉止する包装が知られている。
ここで、前記包装箱において、蓋板部（１２４）が開閉する側を前、対向する他側を後ろ、前後及び左右の側板部（１２０、１２１、１２３）で囲まれた領域を内方としている。
【０００４】
被収納物（１００）を取り出す際には、図１３に示した包装袋の場合には、閉封箇所を切り裂く等して開封し、そこから被収納物を引き出すことで取り出す。図１４に示した包装箱の場合には、蓋板部（１２４）を引き上げることで蓋板フラップ（１２６）を前板部（１２０）の内面側がら引き出して閉止状態を解除し、蓋板部（１２４）を開状態として上方の開口部（１２７）より被収納物（１００）を引き出して取り出す。
【０００５】
しかしながら、これらの包装ではシフォンケーキなどの比較的軟弱かつ繊細で形が崩れ易い被収納物の場合には、収納する際や取り出す際に、包装袋（１１０）や包装箱の側面（１２０、１２１、１２３）又は蓋板部（１２４）に被収納物（１００）が接触することで被収納物を傷つけてしまうという問題があった。また、上述のような包装は被収納物を傷つけないように運搬することが困難であるという問題があった。
【０００６】
このような問題を解決するため、特許文献１には、内箱部と外箱部とを有する包装箱であって、内箱部の側面部の一部が分離部として他の部分と切り目線を介して分離可能に形成されており、分離部は外箱の対応する側面部に接着剤により接着され、外箱部における側面部のミシン目を破って側面部の下端を斜め上方に回動させることにより、分離部が内箱部より分離することで、ケーキやドーナツなどの形が崩れやすい被収納物を傷つけることなく収納や取り出しが行える包装箱が提案されている。
【先行技術文献】
【特許文献】
【０００７】
【特許文献１】実用新案登録第３１３８５１４号公報。
【発明の概要】
【発明が解決しようとする課題】
【０００８】
しかしながら、特許文献１で提案されている包装箱は、あらかじめ接着剤により内箱部の分離部と外箱部の側面部に接着しなければならない為、包装箱を組み立てる際に手間がかかり利便性に欠ける。また、被収納物を収納する場合には、内箱部よりも高さを有する外箱部の側面部の上方に開口された開口部より被収納物を挿入しなければならない為、側面部に被収納物が接して被収納物を傷つけてしまう恐れがある。さらに、被収納物を取り出す場合には、内箱部と外箱部を分離する為に外箱部における側面部のミシン目を破って側面部の下端を斜め上方に回動させなければならない為、分離する為の手順が複雑で分離作業が困難であるという問題がある。
【０００９】
そこで、本発明は従来の上記の問題点を解決するものであり、容易に組み立てることが可能で、特にシフォンケーキなどの軟弱な被収納物を傷つけることなく収納や取り出しを容易に行うことが可能な包装箱を提供することを目的とする。
【課題を解決するための手段】
【００１０】
上記目的を達成するために、請求項１に係る本発明は、複数の側板に囲まれかついずれかの側板の上端に連設された一対の上蓋フラップとを有する蓋体と、底板と、底板の各辺に連設された複数の側板とを有する台部とを備えた包装箱であって、蓋体（１Ａ）は、矩形状の前後及び左右の側板部（１０、２０、３０、４０）に囲まれ鉛直方向の両端に開口した開口部（１５、１６）を有する角筒状の本体と、前記前後の側板部（１０、３０）の上辺に連設されかつ前記左右の側板部（２０、４０）の上端縁と略同じ高さの位置にて内方へ折ることで前記角筒状の本体の上端の開口部（１６）を開閉自在に被覆する一対の上蓋フラップ（１２、３２）と、前記上蓋フラップ（１２、３２）の上端に連設された一対の把手部（１２ｂ、３２ｂ）と、前記左右の側板部（２０、４０）の下辺に連設されかつ前記前後の側板部（１０、３０）の下端縁と略同じ高さの位置にて内方に折り返された所定形状の側板フラップ（２１、４１）とを有し、台部（１Ｂ）は、矩形状の底板部（５０）と、底板部（５０）の各辺に連設されかつ該底板部（５０）の各辺に対して略直角をなすように起立された矩形状の前後の側板部（５１）及び左右の側板部（５２）と、前記前後の側板部（５１）の上辺に連設されたガイド片部（５４）と、前記左右の側板部（５２）の上辺に連設されかつ前記ガイド片部（５４）の上端縁よりも低い位置にて外方に折り返された折り返し部（５３）とを有し、前記台部（１Ｂ）を上方から前記蓋体（１Ａ）の下端に開口した前記開口部（１６）より前記ガイド片部（５４）の外面側を前記左右の側板部（２０、４０）の内面側に沿わせるようにして挿入し該台部（１Ｂ）を該蓋体（１Ａ）で被覆する手段と、前記被覆する手段により前記折り返し部（５３）と前記側板フラップ（２１、４１）とが係合し該台部（１Ｂ）に該蓋体（１Ａ）を係止させるようにした係止手段とを備えたことを特徴とする。
【００１１】
請求項２に係る本発明は、請求項１に記載の包装箱であって、前記蓋体（１Ａ）は、さらに、左右の側板部（２０、４０）の側面略中央部に該左右の側板部（２０、４０）の下端側に膨らむ円弧状の切り込み線（２５ａ、４５ａ）で囲まれた舌片部（２５、４５）と、前記舌片部（２５、４５）よりも低い位置に前記円弧状の切り込み線（２５ａ、４５ａ）を起点とし前記左右の側板部（２０、４０）の上端側に膨らむ円弧状の切り込み線（２４ｂ、４４ｂ）と前記円弧状の切り込み線（２４ｃ、４４ｃ）を起点とし左右方向に該左右の側板部（２０、４０）の下辺に角度をなして延びるミシン目状の切り目線（２４ａ、４４ａ）とにより囲まれた切り取り部（２４、４４）とを有し、前記舌片部（２５、４５）を折り目線（ｓ）を介して外方へ起立させ又は内方へ押し込み前記切り取り部（２４、４４）を引き下げて前記切り目線（２４ａ、４４ａ）を破断し該切り取り部（２４、４４）を前記蓋体（１Ａ）から分離することで、前記係止手段を解除させる係止解除手段を備えることを特徴とする。
【００１２】
請求項３に係る本発明は、請求項１又は２に記載の包装箱であって、前記上蓋フラップ（１２、３２）は、側面略中央部から折り目線（ｃ）を介して前記前後の側板部（１０、３０）の側面上方にかけて略円形状の内部が目視可能な窓部（１４、３１）を有することを特徴とする。
【００１３】
請求項４に係る本発明は、請求項１乃至３のいずれか一に記載の包装箱であって、前記把手部（１２ｂ、３２ｂ）は、左右の両肩部に連設された突出片部（３３）を前記左右の側板部（２０、４０）の上辺に連設された係止部（２２、４２）に係合させることで係止されるとともに、前記上蓋フラップ（１２、３２）が閉状態で閉止されることを特徴とする。
【発明の効果】
【００１４】
本発明の包装箱によれば、次のような効果がある。
（１）蓋体と台部を備えた包装箱であり、台部を上方から蓋体の下端に開口した開口部よりガイド片部の外面側を左右の側板部の内面側に沿わせるようにして挿入し台部を蓋体で被覆する手段を有するので、台部に被収納物を収納した後で蓋体を被せることが可能となり、シフォンケーキなどの軟弱かつ繊細な被収納物を傷つけることなく包装箱に収納することができる。
（２）被覆する手段により折り返し部と側板フラップとが係合し台部に蓋体を係止させるようにした係止手段を有するので、接着剤等を使用することなく容易に台部に蓋体を係止させることができる。
（３）蓋体が、略中央部切り取り部を有し、切り取り部を蓋体から分離することで係止手段を解除させる係止解除手段を備えることにより、容易に台部から蓋体を分離することが可能となり、シフォンケーキなどの軟弱かつ繊細な被収納物を傷つけることなく包装箱から取り出すことができる。
（４）上蓋フラップが、側面略中央部から折り目線を介して前後の側板部の側面上方にかけて略円形状の内部が目視可能な窓部を有することで、被収納物を覗き見ることができる。
（５）上蓋フラップに連設された把手部が左右の側板部に連設された係止部に係合し係止するので、把手部を手で握り包装箱を容易に持ち運ぶことができる。
（６）また、把手部が係止部に係合し係止することで上蓋フラップが閉状態で閉止され、上方の開口部を被覆することができる。
【図面の簡単な説明】
【００１５】
【図１】本発明の実施例に基づく包装箱の斜視図である。
【図２】図１のＡ−Ａ線切断部断面図である。
【図３】本発明の実施例に基づく包装箱の蓋体の展開図である。
【図４】本発明の実施例に基づく包装箱の蓋体の上蓋フラップが開いた状態を示す斜視図である。
【図５】本発明の実施例に基づく包装箱の蓋体の上蓋フラップが閉じた状態を示す斜視図である。
【図６】本発明の実施例に基づく包装箱の蓋体を平坦に折り畳んだ状態を示す平面図である。
【図７】本発明の実施例に基づく包装箱の台部の展開図である。
【図８】本発明の実施例に基づく包装箱の台部の斜視図である。
【図９】本発明の実施例に基づく包装箱の台部を平坦に折り畳んだ状態を示す平面図である。
【図１０】本発明の実施例に基づく包装箱の使用状態を示す斜視図である。
【図１１】本発明の実施例に基づく包装箱の使用状態を示す一部破断斜視図である。
【図１２】図１１の円囲み部分の拡大図である。
【図１３】本発明の実施例に基づく包装箱の使用状態を示す斜視図である。
【図１４】本発明の実施例に基づく包装箱の使用状態を示す斜視図である。
【図１５】従来技術を示す斜視図である。
【図１６】従来技術を示す斜視図である。
【発明を実施するための形態】
【００１６】
以下、本発明の実施の形態を実施例を示した図面を参照しつつ説明する。
図１から図１２は、本発明の実施の形態を例示する図であり、これらの図において、同一の符号を付した部分は同一物を表しており、基本的な構成等は同様であるものとする。
【００１７】
図１は、本発明の実施例に基づく包装箱の斜視図であり、図２は、図１のＡ−Ａ線切断部断面図である。図１に示すように、本発明の実施例に基づく包装箱は、矩形状の四枚の側板部１０、２０、３０、４０に囲まれかついずれかの側板部の上端に連設された一対の上蓋フラップ１２、３２を有する蓋体１Ａと、矩形状の底板部５０と、底板部５０の四辺に連設され底板部５０の各辺に対して略直角をなすように起立された矩形状の四枚の側板部５１、５２とを有する台部１Ｂとから構成されている。
【００１８】
台部１Ｂと蓋体１Ａとはそれぞれシート状の包装箱部材を組み立てることで形成される。そして、図２に示すように使用状態においては、組み立て後、台部１Ｂを蓋体１Ａで被覆する手段により被覆し、かつ台部１Ｂに蓋体１Ａを係止手段により係止させることで前後及び左右対称の略立方体の様相を呈する。
【００１９】
図３から図６を用いて本発明の実施例に基づく包装箱の蓋体１Ａの構成について説明する。図３は展開図を、図４は上蓋フラップが開いた状態を示す斜視図を、図５は上蓋フラップが閉じた状態を示す斜視図を、図６は平坦に折り畳んだ状態を示す平面図をそれぞれ示している。
【００２０】
図３において、基本的に図示した側が内面、反対側が外面となる。また、各構成要素における前後、左右、上及び下の各表現については、組み立て後の蓋体（図４及び図５を参照）における向きに基づいている。なお、本実施例では、上蓋フラップのヒンジ側を前後、他側を左右としている。図中の点線で記された箇所は、折り目線を示している。
【００２１】
蓋体１Ａを形成する部材は、厚紙または段ボールなどの紙製のシート状の部材を打ち抜いて加工し、所定の位置に折り目線を付け、切り込みを行うことにより形成される。
矩形状の前後の側板部１０、３０と、矩形状の左右の側板部２０、４０とが折り目線ａを介してそれぞれ水平方向に連設されている。また、前後の側板部１０、３０のどちらか一方には、折り目線ｂを介して略台形状の接着部１１が水平方向に連設されている。
【００２２】
前後の側板部１０、３０の上辺には折り目線ｃを介して上蓋フラップ１２、３２が連設されており、上蓋フラップ１２、３２の上辺には折り目線ｄを介して略台形状の把手部１２ｂ、３２ｂが連設されている。そして、把手部１２ｂ、３２ｂの左右の両肩部には突出片部３３が連設されている。また、上蓋フラップ１２、３２の上辺の略中央部には、折り目線ｄを起点として、上方側に膨らむ略コの字状の切り込み線３２ｃで囲まれた突片部１２ａ、３２ａが連設されている。
【００２３】
さらに、上蓋フラップ１２、３２は、側面略中央部から折り目線ｃを介して前後の側板部１０、３０の側面上方にかけて平面視略円形状の開口部である窓部１４、３１が形成されている。尚、窓部１４、３１には、透視可能な透明フィルムが内面側より貼り付けられている。ここで、窓部１４、３１に関しては、これを形成ことが好適であるが、この限りではない。
【００２４】
左右の側板部２０、４０の上辺には、折り目線ｅを介して略半円形状の係止部２２、４２が連設されている。係止部２２、４２の側面略中央部には折り目線ｅに対して鉛直方向に延びた折り目線２３ｃ、４３ｃと、折り目線２３ｃ、４３ｃと平行に切り込み線２３ｅ、４３ｅとが形成されており、折り目線２３ｃ、４３ｃの両端を起点として上方に膨らむ略円弧状の切り込み線２３ａ、２３ｂ、４３ａ、４３ｂと、略円弧状の切り込み線２３ａ、２３ｂ、４３ａ、４３ｂの終点と終点とを結んだ折り目線２３ｄ、４３ｄが形成されている。
【００２５】
さらに、左右の側板部２０、４０の側面中央部には、左右の側板部２０、４０の下端側に膨らむ円弧状の切り込み線２５ａ、４５ａと左右の側板部２０、４０の下辺に平行に円弧状の切り込み線２５ａ、４５ａの起点と終点を結ぶ折り目線ｇとで囲まれた舌片部２５、４５と、舌片部２５、４５よりも低い位置に前記円弧状の切り込み線２５ａ、４５ａ上を起点として左右の側板部２０、４０の上端側に膨らむ円弧状の切り込み線２４ｂ、４４ｂと前記円弧状の切り込み線２４ｃ、４４ｃの終点を起点とし左右方向に該左右の側板部２０、４０の下辺に角度をなして延びるミシン目状の切り目線２４ａ、４４ａとにより囲まれた切り取り部２４、４４とが形成されている。
【００２６】
また、左右の側板部２０、４０の下辺に折り目線ｆを介して側板フラップ２１、４１が連設されている。側板フラップ２１、４１の左右両端には押圧部２１ａ、２１ｂ、４１ａ、４１ｂが連接されており、略凹形状を呈している。側板フラップ２１、４１の有する高さは、後述する台部１Ｂの左右の側板部５２が有する高さよりも低い高さに形成される。
【００２７】
蓋体１Ａを組み立てる場合には、前後及び左右の側板部１０、２０、３０、４０を折り目線ａで、接着部１１を折り目線ｂで内方に折り返す。そして、接着部１１を接着剤又は両面テープ等により左右の側面部４０に接着する。ここで、折り返すとは、元の状態から１８０度又は略１８０度折り返すことを意味している。
【００２８】
これにより、図４に示すように、矩形状の前後及び左右の側板部１０、２０、３０、４０に囲まれ鉛直方向の両端に開口した開口部１５、１６を有した角筒状の蓋体１Ａ本体が形成される。そして、前後及び左右に対向するそれぞれの構成部位は対称となるように形成される。
【００２９】
図５において、一対の上蓋フラップ１２、３２を左右の側板部２０、４０の上端縁と略同じ高さの位置に設けられた折り目線ｃで内方に折り返すことで角筒状の本体の上端の開口部１６を開閉自在に被覆することができる。
【００３０】
さらに、把手部１２ｂ、３２ｂを折り目線ｄで外方へ折り返し、把手部１２ｂと把手部３２ｂと、把手部１２ｂ、３２ｂの左右の両肩部に連設された突出片部３３と突出片部３３とを対向する側面で重ね合わせることで、略コの字状の切り込み線３２ｃで囲まれた突片部１２ａ、３２ａが対向する側の上蓋フラップ１２、３２の面上に重なり合う。そして、一対の係止部２２、４２を前後の側板部１０、４０の上端縁と略同じ高さの位置に設けられた折り目線ｅで内方へ折り返し、把手部１２ｂ、３２ｂと突出片部３３とを対向する側面で重ね合わせた状態で、係止部２２、４２に設けられた切り込み線２３ｅ、４３ｅに突出片部３３を内方から外方へ差し込むことで、係止部片２３、４３が外方へ開き、突出片部３３を係止部２２、４２に係合させ係止させることができる。これにより、略完全に開口部１５が被覆され上蓋フラップ１２、３２が閉状態で閉止される。また、把手部１２ｂ、３２ｂが手で握り包装箱を容易に持ち運ぶことができるように形成される。ここで、各構成要素が対向する側を内方、他側を外方とし、折り返すとは、元の状態から１８０度又は略１８０度折り返すことを意味している。
【００３１】
蓋体１Ａは図４に示す状態において、さらに、折り目線ａで内方へ折り返し、前後の側板部１０、３０と隣り合う一方の左右の側板部２０、４０とが略平行に重なり合うようにすることで、図６に示すように略平坦に折り畳むことができる。
【００３２】
次に、図７から図９を用いて本発明の実施例に基づく包装箱の台部１Ｂの構成について説明する。図７は展開図を、図８はを、図９は平坦に折り畳んだ状態を示す平面図をそれぞれ示している。
【００３３】
図７において、基本的に図示した側が内面、反対側が外面となる。また、各構成要素における前後、左右、上及び下の各表現については、組み立て後の台部（図８を参照）における向きに基づいている。なお、本実施例では、ガイド片部が連設されている側を前後、他側を左右としており、前後及び左右がそれぞれ対称となるように形成されている。図中の点線で記された箇所は、折り目線を示している。
【００３４】
台部１Ｂを形成する部材は、前述の蓋体１Ａと同様に厚紙または段ボールなどの紙製のシート状の部材を打ち抜いて加工し、所定の位置に折り目線を付け、切り込みを行うことにより形成される。
【００３５】
矩形状の底板部５０を中央にして、底板部５０の四辺にそれぞれ折り目線ｈを介して矩形状の前後及び左右の側板部５１、５２が連設されている。一方、前後の側板部５１の上辺には矩形状のガイド片部５４が連設され、前後の側板部５１が有する高さよりも低い高さに形成されている。また、左右の側板部５２の上辺には折り目線ｋを介して矩形状の折り返し部５３が連設され、左右の側板部５２が有する高さよりも低い高さに形成されている。さらに、左右の側板部５２の左右両辺には折り目線ｉを介して略台形状の接着部５２ａが連設されている。
【００３６】
左右の側板部５２には、折り目線ｈと折り目線ｌとの交点を起点とし、折り目線ｈと折り目線ｌとがなす角を略２等分するように折り目線ｋを終点として折り目線ｉが形成されている。また、折り目線ｉの終点を起点とし、折り返し部５３の上辺まで斜方向に折り目線ｊが形成されている。このとき、折り目線ｋと折り目線ｊとがなす角は、折り目線ｌと折り目線ｉとが形成する角と略同等の大きさの角となるように形成される。
【００３７】
台部１Ｂを組み立てる場合には、前後及び左右の側板部５１、５２を折り目線ｈで、接着部５２ａを折り目線ｌで内方へ折り返す。そして、接着部５２ａを接着剤又は両面テープ等により前後の側面部５１に接着する。一方、折り返し部５３は、折り目線ｋで外方へ折り返される。ここで、折り返すとは、元の状態から１８０度又は略１８０度折り返すことを意味している
【００３８】
これにより、図８に示すように、底板部５０の各辺に対して略直角をなすように前後及び左右の側板部５１、５２が起立され、上部に開口部を有した台部１Ｂが形成される。そして、前後又は左右に対向するそれぞれの構成部位は対称となるように形成される。
【００３９】
台部１Ｂは、図８に示す状態において、左右の側面部５２を外方へ引っ張り、左右の側面部５２と底板部５０とが折り目線ｈを介して略平坦になるようにすることで、左右の側板部５２が折り目線ｉ及び折り目線ｊで内方へ折り返され、前後の側板部５１は折り目線ｈで底板部５０の内側面と左右の側板部５２の内側面が略平行に重なり合うように内方へ折り返される。これにより、図９に示すように略平坦に折り畳むことかできる。
【００４０】
ここで、図６及び図９に示したように蓋体１ａと台部１Ｂはそれぞれが略平坦の略平板状に折り畳むことができるので、包装箱の運搬や保管の際には、このような折り畳んだ状態で面上に効率的に多数積み重ねることができる。
【００４１】
続いて、図１０から図１４を用いて本発明の実施例に基づく包装箱の使用状態を説明する。図１０、図１３及び図１４は本発明の実施例に基づく包装箱の使用状態を示す斜視図を、図１１は一部破断斜視図を、図１２は図１１の円囲み部分の拡大図をそれぞれ示している。なお、各構成要素における前後、左右、上及び下の各表現については、組み立て後の蓋体（図１１、図１３、図１４を参照）における向きに基づいている。なお、本実施例では、上蓋フラップのヒンジ側を前後、他側を左右としている。さらに、図はそれぞれ前後又は左右の一方の側のみが描かれているが、前述の様に本発明の実施例に基づく包装箱は前後及び左右対称の略立方体の様相を呈しており、前後又は左右に対向するそれぞれの構成部位は対称となるように形成されているので、前後及び左右に対向する他方の側も同様な構造となっている。
【００４２】
図１０において、被収納物１００を包装箱１に収納する場合には、蓋体１Ａを図５に示した状態に、また台部１Ｂを図８に示した状態に組み立てておく。そして、被収納物１００を台部１Ｂの底板部５０に置き、蓋体１Ａの側板フラップ２１、４１を折り目線ｆで内方へ折り返す。その後、台部１Ｂの上方から蓋体１Ａの下端に開口した開口部１６よりガイド片部５４の外面側を左右の側板部２０、４０の内面側に沿わせるようにして折り目線ｆで内方へ折り返された側板フラップ２１、４１を一緒に折り込みながら、側板フラップ２１、４１の当接部２１ｃ、２１ｄ、４１ｃ、４１ｄと折り返し部５３の当接部５３ｃ、５３ｄとが当って接するまで、すなわち当接されるまで挿入する。これを被覆する手段とする。このような被覆する手段により台部１Ｂは蓋体１Ａで被覆される。
【００４３】
ここで、図１１及び図１２において、被覆する手段により台部１Ｂが蓋体１Ａの内方に挿入されると、側板フラップ２１、４１に連設された押圧部２１ａ、２１ｂ、４１ａ、４１ｂの側面が折り返し部５３の側面に外方から重なる。押圧部２１ａ、２１ｂ、４１ａ、４１ｂは、折り目線ｆで内方へ折り返された側板フラップ２１、４１に紙の有する弾性により元通りになろうとする力が働くとこで、外方へ広がろうとする力が働き、その力で折り返し部５３の側面を外方から押圧する。図１２で示されている矢印は押圧する方向を示している。このとき、折り返し部５３にも紙の有する弾性により元通りになろうとする力が働いているが、押圧部２１ａ、２１ｂ、４１ａ、４１ｂによりこれとは反対の方向へ働く力で押圧されることで、側板フラップ２１、４１の当接部２１ｃ、２１ｄ、４１ｃ、４１ｄと折り返し部５３の当接部５３ｃ、５３ｄとが当接される。これにより、側板フラップ２１、４１と折り返し部５３とが係合されることで台部１Ｂに蓋体１Ａを係止させる。これを係止手段とする。このような係止手段により台部１Ｂと蓋体１Ａとが一体化し、外観上において、図１に示した包装箱１の様相を呈する。
【００４４】
図１３において、被収納物１００を包装箱１より取り出す場合には、先ず、左右の側板部２０、４０の舌片部２５、４５を外方より指で折り目線ｓで外方へ起立させ又は内方へ押し込む。そして、切り取り部２４、４４を引き下げて切り目線２４ａ、４４ａを破断して切り取り部２４、４４を蓋体１Ａから引き抜くように分離することで、側板フラップ２１、４１と折り返し部５３との係合を容易に外し、係止手段が解除される。これを係止解除手段とする。このような係止解除手段により、台部１Ｂと蓋体１Ａとは各々に再び分離される。ここで、一方の側のみを図示しているが、同一の係止手段は他方の側にも有するので、同様に他方の側も係止解除手段により係止手段を解除する。その後、図１４に示すように、蓋体１Ａを上方へ引き上げるだけで容易に台部１Ｂと蓋体１Ａとを個々に分離することができ、台部１Ｂに露わとなった被収納物１００を取り出すことができる。
【００４５】
上述のように、台部１Ｂと蓋体１Ａとに設けられた被覆する手段、係止手段及び係止解除手段により、シフォンケーキなどの軟弱な被収納物を傷つけることなく包装箱への収納や取り出しを容易に行うことが可能となる。
【符号の説明】
【００４６】
１  包装箱
１Ａ  蓋体
１Ｂ  台部
１０、２０、３０、４０、５１、５２  側板部 
１１、５２ａ  接着部
１２、３２  上蓋フラップ
１２ａ、３２ａ  突片部
１２ｂ、３２ｂ  把手部
１３、３３、  突出片部
１４、３１  窓部
１５  開口部
２１、４１  側板フラップ
２１ａ、２１ｂ、４１ａ、４１ｂ  押圧部
４１ｃ、４１ｄ、５３ｃ、５３ｄ  当接部
２２、４２  係止部
２３、４３  係止片部
２３ａ、２３ｂ、２３ｅ、２４ｂ、２５ａ  切り込み線
４３ａ、４３ｂ、４３ｅ、４４ｂ、４５ａ   切り込み線
２４、４４  切り取り部
２４ａ 、４４ａ  切れ目線
２５、４５、舌片部
５０  底板部
５３  折り返し部
５４  ガイド片部
１００  被収納物
【図１】
2011173634.tif 000003
【図２】
2011173634.tif 000004
【図３】
2011173634.tif 000005
【図４】
2011173634.tif 000006
【図５】
2011173634.tif 000007
【図６】
2011173634.tif 000008
【図７】
2011173634.tif 000009
【図８】
2011173634.tif 000010
【図９】
2011173634.tif 000011
【図１０】
2011173634.tif 000012
【図１１】
2011173634.tif 000013
【図１２】
2011173634.tif 000014
【図１３】
2011173634.tif 000015
【図１４】
2011173634.tif 000016
【図１５】
2011173634.tif 000017
【図１６】
2011173634.tif 000018